(57)【要約】【課題】本発明は、例えばノート型パーソナルコンピュータ等の電子機器に関し、電子機器に内蔵された空冷用のファンユニット自体の電子機器内部の温度上昇への寄与の低減化を図る。【解決手段】空冷用のファンユニット５０の枠体５１と、ノート型パーソナルコンピュータ等の電子機器の筐体２１０との双方に密着する放熱ゴム６０を備え、ファンユニット５０の熱をその放熱ゴム６０を介して筐体２１０に伝熱し、筐体ユニット２１０を放熱体として利用する。【選択図】        図７
2007286785.tif 000002
【特許請求の範囲】
【請求項１】
電子機器において、
開口が設けられた筐体と、
前記筐体内側の、前記開口に隣接した位置に固定された、該開口を通過する空気流を形成するファンユニットと、
前記筐体内壁面と前記ファンユニットとに接し、該ファンユニットの熱を前記筐体に伝達する伝熱体とを備えたことを特徴とする電子機器。
【請求項２】
前記伝熱体が、弾性伝熱体であることを特徴とする請求項１記載の電子機器。
【請求項３】
前記伝熱体が、放熱ゴムであることを特徴とする請求項１記載の電子機器。
【請求項４】
前記筐体が底壁と横壁とを有し、前記開口が該横壁に形成されたものであり、
前記伝熱体が、前記ファンユニット上面と前記横壁の内壁面とに接するものであることを特徴とする請求項１記載の電子機器。
【請求項５】
前記筐体が底壁と横壁とを有し、前記開口が該横壁に形成されたものであり、
前記伝熱体が、前記ファンユニット下面と前記底壁の内壁面とに接するものであることを特徴とする請求項１記載の電子機器。
【請求項６】
この電子機器が、前記開口が設けられた本体側筐体を有する本体ユニットと、該本体ユニットに開閉自在に支持された表示ユニットとを備えたものであり、
前記ファンユニットおよび前記伝熱体は、前記本体側筐体に内蔵されたものであることを特徴とする請求項１記載の電子機器。
【請求項７】
前記開口が前記本体側筐体の横壁に形成されたものであることを特徴とする請求項６記載の電子機器。
【請求項８】
電子機器の冷却に用いられる冷却部品であって、
前記電子機器の筐体内側の該筐体に設けられた開口に隣接した位置に固定され、該高校を通過する空気流を形成するファンユニットと、
前記電子機器に前記ファンユニットが設置される際に、前記筐体内壁面と前記ファンユニットとに接し、前記ファンユニットの熱を前記筐体に伝達する伝熱体と、
を備えたことを特徴とする冷却部品。
【請求項９】
前記伝熱体が、弾性伝熱体であることを特徴とする請求項８記載の冷却部品。
【請求項１０】
前記伝熱体が、放熱ゴムであることを特徴とする請求項８記載の冷却部品。
【発明の詳細な説明】
【技術分野】
【０００１】
本発明は、例えばノート型パーソナルコンピュータ等の電子機器およびその電子機器に用いられる冷却部品に関する。
【背景技術】
【０００２】
ノート型パーソナルコンピュータを始め様々な電子機器には、内部に回路部品が備えられており、回路部品によっては動作に伴って発熱するため電子機器内にファンユニットを備えて空冷する構成を備えた電子機器もある。
【０００３】
また、特許文献１には、電子機器本体とその電子機器が載せられる外付装置とを備え、電子機器本体の熱を外付装置に伝熱して外付装置側で放熱する構成が示されている。
【特許文献１】特開平１１−２３８９８４号公報
【発明の開示】
【発明が解決しようとする課題】
【０００４】
ところで、ファンユニット自体もファンの回転により発熱し、そのファンユニットの温度上昇も電子機器内部の温度上昇にひと役買っており、このファンユニット自体の温度上昇を如何にして押えるかが問題となる。
【０００５】
本発明は、上記事情に鑑み、電子機器に内蔵された空冷用のファンユニット自体の電子機器内部の温度上昇への寄与の低減化が図られた電子機器およびその電子機器のための冷却部品を提供することを目的とする。
【課題を解決するための手段】
【０００６】
上記目的を達成する本発明の電子機器は、
開口が設けられた筐体と、
上記筐体内側の、上記開口に隣接した位置に固定された、上記開口を通過する空気流を形成するファンユニットと、
上記筐体内壁面と上記ファンユニットとに接し、ファンユニットの熱を筐体に伝達する伝熱体とを備えたことを特徴とする。
【０００７】
本発明の電子機器によれば、ファンユニットの熱が伝熱体を介して筐体に伝えられる。筐体は、広い面積で電子機器外部の空気と接しており、この筐体に放熱板としての役割りを担わせることにより、ファンユニットの温度上昇が抑えられ、そのファンユニットの、上記電子機器内部の温度上昇への寄与率が低減される。
【０００８】
ここで、本発明の電子機器において、上記伝熱体が、弾性伝熱体であることが好ましく、さらに、その伝熱体は、放熱ゴムであってもよい。
【０００９】
弾性伝熱体を使用するとその弾性伝熱体をファンユニット表面と筐体内壁面との双方に容易に密着させることができ、伝熱効率が向上する。また、ファンユニットが動作することで、そのファンユニットにより発生する振動が筐体に伝達することも防止できる。
【００１０】
また、本発明の電子機器において、上記筐体が底壁と横壁とを有し、上記開口がその横壁に形成されたものであり、上記伝熱体が、ファンユニット上面と横壁の内壁面とに接するものであってもよく、あるいは、上記筐体が底壁と横壁とを有し上記開口がその横壁に形成されたものであり、上記伝熱体が、ファンユニット下面と底壁の内壁面とに接するも
のであってもよい。
【００１１】
さらに、本発明の電子機器が、上記開口が設けられた本体側筐体を有する本体ユニットと、その本体ユニットに開閉自在に支持された表示ユニットとを備えたものであり、ファンユニットおよび伝熱体が本体側筐体に内蔵されたものであってもよく、その場合に、上記開口が本体側筐体の横壁に形成されたものであってもよい。
【００１２】
さらに、上述した電子機器に用いられる、上述したファンユニット及び伝熱体で構成される冷却部品も本発明である。
【発明の効果】
【００１３】
以上の本発明によれば、ファンユニットの温度上昇を抑え、ファンユニットの温度上昇による電子機器内部の温度上昇を抑えることができる。また、それに加えて、ファンユニットの動作により発生する振動が電子機器に伝達することを防止できる。
【発明を実施するための最良の形態】
【００１４】
以下、本発明の実施形態について説明する。
【００１５】
図１，図２は、本発明の電子機器の一実施形態であるノート型パーソナルコンピュータ（以下、「ノートＰＣ」と略記する）を別々の角度から見て示した概略斜視図である。
【００１６】
このノートＰＣ１０は、本体ユニット２０と表示ユニット３０とを備えており、表示ユニット３０はヒンジ部４０で、本体ユニット２０に対し開閉自在に支持されている。
【００１７】
本体ユニット２０はほぼ直方体形状の箱形の筐体を有し、その筐体の上面に、キーボード２０１、タッチパッド２０２、タッチパッド２０４用の左クリック釦２０３と右クリック釦２０４、および指紋センサ２０５等が備えられている。また、本体ユニット２０の左側面には、ＤＣ電源接続端子２０６や、空気吹出し用の開口２０７等が設けられている。
【００１８】
また、表示ユニット３０は、その前面に大寸法の表示画面３０１を有する。
【００１９】
さらに、ヒンジ部４０は、表示ユニット３０を本体ユニット２０に開閉自在に支持させる構造を有しており、本体ユニット２０側の表示ユニット３０の辺においてその幅方向の概ね両端に設けられている。
【００２０】
表示ユニット３０は、本体ユニット２０に対し回動可能とするとともに、本体ユニット２０に対するどの開き角度でもその開き角度で停止している必要があり、このためヒンジ部４０は、表示ユニット３０が本体ユニット２０に対しどの開き角度にあってもその開き角度で停止するようにフリクションを与える役割りも担っている。
【００２１】
図３は、図１，図２に示すノートＰＣの本体ユニット２０の左側面の一部を示す拡大図である。
【００２２】
本実施形態では、この図３に示すように、空気吹き出し用の開口２０７は、複数並んだ小開口の集合で形成されている。
【００２３】
図４は、キーボード２０１等を取り外して、本体ユニット２０の、開口２０７の内側を示した斜視図、図５は、その同じ部分を示した平面図である。さらに、図６は、ファンユニットを取り外して、その同じ部分を示した平面図である。
【００２４】
本体ユニット２０の筐体２１０は金属製のものであり、図６に示すように、左側面２１１と底面２１２を有し、底面２１２からは、ファンユニット取付用の２つのボス２１３，２１４が立設している。それら各ボス２１３，２１４には、ファンユニットをネジ止めするための雌ネジが形成されている。
【００２５】
また、図４，図５に示すように、本体ユニット２０の筐体２１０の、左側面２１１に形成された空気吹出し用の開口２０７の直ぐ内側には、ファンユニット５０が配置され、ネジ７１，７２により、図６に示す２つのボス２１３，２１４に形成されたネジ穴にネジ止めされている。このファンユニット５０は、本体ユニットの内部を空冷するためのものであり、このファンユニット５０には、本体ユニット内部の空気を外に送り出すためのファン５１が備えられている。また、このファンユニット５０は、ファン５１を金属製の枠体５２で支持する構造となっている。このファン５１は複数枚の羽根をもつ羽根車とその羽根車を回転させるモータを備えている。
【００２６】
また、図４，図５に示すようにファンユニット上面と本体ユニット筐体の左側面２１１との双方に接する位置に放熱ゴム６０が設けられている。この放熱ゴム６０は、ファンユニット５０の枠体５２の上面に接着され、ファンユニット５０の取付けによって本体ユニット筐体の左側面２１１に押し当てられている。このファンユニット５０と放熱ゴム６０が本発明の冷却部品を構成する。
【００２７】
図７は、ファンユニット取付部分の模式図である。
【００２８】
この図７では空気の流れが矢印で示されている。
【００２９】
ファンユニット５０は、ネジ７１，７２（図４，図５参照）でボス２１３，２１４に固定することにより、本体ユニット筐体の底面２１２から浮いた状態に配置されている。このファンユニット５０には、上面と下面との双方に空気取込用の開口が形成されており、また、本体ユニット左側面の開口２０７に面する位置に空気吹出し用の開口が形成されており、ファン５１の回転により、上面と下面との双方から空気を吸い込み、本体ユニット左側面の開口２０７から外に吹き出している。
【００３０】
ここで、ファンユニット５０の枠体５２の上面には放熱ゴム６０が接着されており、またこの放熱ゴム６０は、ファンユニット５０がネジ止めで固定されることにより本体ユニット筐体の左側面２１１の内壁面に押し当てられている。放熱ゴム６０は弾性体であるため、その放熱ゴムが本体ユニット筐体の左側面の内壁面に密着し良好な熱伝導効率が保たれている。ファンユニット５０の熱は、その放熱ゴム６０を介して本体ユニット筐体の左側面２１１に伝熱され本体ユニット筐体に放熱体の役割りを担わせている。このため、ファンユニット５０の温度上昇が抑えられ、ファンユニット５０の発熱に起因する、本体ユニット２０の内部の温度上昇が抑えられる。
【００３１】
ここで、この放熱ゴム６０としては、シリコンゴム等を採用してもよいが、接点不良の原因となるシロキサンガスの発生を防止する観点から熱伝導性アクリルエラストマー等を採用することが好ましい。ちなみに、熱伝導性アクリルエラストマーの熱伝導率は、一例として、２．３Ｗ／ｍ・Ｋ程度である。
【００３２】
次に、放熱ゴムの別の取付け方について説明する。
【００３３】
図８は、本体ユニット筐体の、ファンユニット取付部分を、ファンユニットを取り外して示した平面図、図９は、ファンユニット取付部分の模式図である。
【００３４】
ここに示す例では、本体ユニット筐体の底面２１２に放熱ゴム６１が接着され、ファンユニット５０がネジ止めされると、その放熱ゴム６１が本体ユニット筐体の底面２１２とそのファンユニットの枠体５２の下面との間に挟まれ、本体ユニット筐体の底面２１２とファンユニット５０の枠体５２の下面との双方に密着した状態となる。
【００３５】
この場合、ファンユニット５０の熱はその放熱ゴム６１を介して本体ユニット筐体の底面２１２に伝えられ、その本体ユニット筐体が放熱体として利用される。
【００３６】
このように、この実施形態でも、ファンユニット５０の熱を本体ユニット筐体に伝える伝熱体として、ユニット５０と本体ユニット筐体との双方に密着するように放熱ゴムという弾性放熱体が使用され、高い伝熱効率が確保されている。
【００３７】
上述したいずれの実施形態でも、ファンユニット５０のファン５１が動作する、すなわち、ファン５１を構成するモータによる羽根車の回転動作により発生する振動を伝熱体である放熱ゴム６０、６１が吸収し、本体ユニット筐体への伝達することを防止している。
【図面の簡単な説明】
【００３８】
【図１】本発明の電子機器の一実施形態であるノート型パーソナルコンピュータの概略斜視図である。
【図２】本発明の電子機器の一実施形態であるノート型パーソナルコンピュータを、図１とは別の角度から見て示した概略斜視図である。
【図３】図１，図２に示すノートＰＣの本体ユニットの左側面の一部を示す拡大図である。
【図４】キーボード等を取り外して、本体ユニットの、開口の内側を示した斜視図である。
【図５】図４と同じ部分を示した平面図である。
【図６】ファンユニットを取り外して、図５と同じ部分を示した平面図である。
【図７】ファンユニット取付部分の模式図である。
【図８】本体ユニット筐体の、ファンユニット取付部分を、ファンユニットを取り外して示した平面図である。
【図９】ファンユニット取付部分の模式図である。
【符号の説明】
【００３９】
１０    ノートＰＣ
２０    本体ユニット
３０    表示ユニット
４０    ヒンジ部
５０    ファンユニット
５１    ファン
５２    枠体
６０，６１    放熱ゴム
７１，７２    ネジ
２０７    空気吹出し用の開口
２１０    筐体
２１１    左側面
２１２    底面
２１３，２１４    ボス
【図１】
2007286785.tif 000003
【図２】
2007286785.tif 000004
【図３】
2007286785.tif 000005
【図４】
2007286785.tif 000006
【図５】
2007286785.tif 000007
【図６】
2007286785.tif 000008
【図７】
2007286785.tif 000009
【図８】
2007286785.tif 000010
【図９】
2007286785.tif 000011